(57)【要約】【課題】  傾きや倒壊に対する防止性、安全性及び外観に優れ、しかも灯籠自体を加工する必要のない灯籠支持具を提供する。【解決手段】  本考案の灯籠支持具は、灯籠の傾き又は倒壊を防止するための灯籠支持具であって、先端に地中に差し込むための突先部を有し、且つ複数個の孔３が所定の間隔で設けられている金属製支柱１複数本と、少なくとも１つの孔４が設けられている支柱固定部23及び接地部21を有する支持部材２複数本と、前記複数本の金属製支柱１を互いに結合固定するための固定部材６とで構成されている。【選択図】        図１
0003101641.tif 000002
【実用新案登録請求の範囲】
【請求項１】
灯籠の傾き又は倒壊を防止するための灯籠支持具であって、先端に地中に差し込むための突先部を有し、且つ複数個の孔３が所定の間隔で設けられている金属製支柱１複数本と、少なくとも１つの孔４が設けられている支柱固定部23及び接地部21を有する支持部材２複数本と、前記複数本の金属製支柱１を互いに結合固定するための固定部材６とで構成されている灯籠支持具。
【請求項２】
請求項１記載の灯籠支持具を用いた灯籠の傾き又は倒壊防止構造であって、金属製支柱１複数本を灯籠５の周囲に所定の間隔で且つ突先部を地中に差し込んだ状態で設置し、上部で灯籠５に接するように該灯籠５に立て掛け、各金属製支柱１の地上部の下部を、接地部21を地面に接するように載置した支持部材２の支柱固定部23で、金属製支柱１に設けられている孔３及び支持部材２の支柱固定部23に設けられている孔４を利用して固定するとともに、前記複数本の金属製支柱１を固定部材６により互いに結合固定したことを特徴とする灯籠の傾き又は倒壊防止構造。
【考案の詳細な説明】
【技術分野】
【０００１】
本考案は灯籠の傾きや倒壊を防止するための灯籠支持具、及び該灯籠支持具を用いた灯籠の傾き又は倒壊防止構造に関する。
【背景技術】
【０００２】
従来、地震や老朽化による灯籠の傾きや倒壊を防止するため、灯籠を構成する各部［蓋部（頭部）、光源収納部、脚部、台部等］間を接着剤で接着させたり、灯籠を１本の木製の棒杭に縛り付けたりする方法が行われている。しかし、接着剤を用いる方法では、大きな地震が起きた場合には灯籠全体が倒壊するおそれがあるとともに、接着剤の劣化により灯籠の倒壊防止機能が比較的短期間で低下するおそれがある。また、灯籠を１本の棒杭に縛り付ける方法は、外観が悪い上、倒壊防止効果が小さいという欠点がある。
【０００３】
登録実用新案第３０１５１９８号公報には、多段に構成した灯籠等の墓石類の接合部分にそれぞれ周溝を形成し、この周溝内に金属パイプをはめ込み、金属パイプが周溝内の突起部分を抱くようにして保持するよう連結したことを特徴とする墓石類の耐震構造が開示されている。しかし、この構造では、灯籠そのものに加工が必要となるため、すでに設置された灯籠には適用しがたい。また、大きな地震が起きた場合には灯籠全体が倒壊するおそれがあり、安全性の点で十分とは言えない。
【０００４】
【特許文献１】登録実用新案第３０１５１９８号公報
【考案の開示】
【考案が解決しようとする課題】
【０００５】
従って、本考案の目的は、傾きや倒壊に対する防止性、安全性及び外観に優れ、しかも灯籠自体を加工する必要のない灯籠支持具と、該灯籠支持具を用いた灯籠の傾き又は倒壊防止構造を提供することにある。
【課題を解決するための手段】
【０００６】
本考案者は、上記の目的を達成するために鋭意検討した結果、特定構造の金属製支柱と、該金属製支柱を支える特定構造の支持部材と、前記金属製支柱を互いに結合固定するための固定部材とで構成した灯籠支持具を用いて灯籠を支持すると、灯籠の傾きや倒壊の防止性及び安全性に優れるとともに、外観が良く、しかも灯籠自体を加工する必要がなく取付が容易であることから適用範囲を拡大できることを見出し、本考案を完成した。
【０００７】
すなわち、本考案は、灯籠の傾き又は倒壊を防止するための灯籠支持具であって、先端に地中に差し込むための突先部を有し、且つ複数個の孔３が所定の間隔で設けられている金属製支柱１複数本と、少なくとも１つの孔４が設けられている支柱固定部23及び接地部21を有する支持部材２複数本と、前記複数本の金属製支柱１を互いに結合固定するための固定部材６とで構成されている灯籠支持具を提供する。
【０００８】
本考案は、また、上記の灯籠支持具を用いた灯籠の傾き又は倒壊防止構造であって、金属製支柱１複数本を灯籠５の周囲に所定の間隔で且つ突先部を地中に差し込んだ状態で設置し、上部で灯籠５に接するように該灯籠５に立て掛け、各金属製支柱１の地上部の下部を、接地部21を地面に接するように載置した支持部材２の支柱固定部23で、金属製支柱１に設けられている孔３及び支持部材２の支柱固定部23に設けられている孔４を利用して固定するとともに、前記複数本の金属製支柱１を固定部材６により互いに結合固定したことを特徴とする灯籠の傾き又は倒壊防止構造を提供する。
【考案の効果】
【０００９】
本考案によれば、灯籠５に複数本の金属製支柱１を立て掛けて該灯籠５を支持するとともに、金属製支柱１の下方先端部が地中に差し込まれ、しかも各金属製支柱１の地上部の下部が地面に設置された支持部材２に接合固定され、さらに各金属製支柱１が固定部材６により互いに結合固定されるので、灯籠５を確実且つ堅固に支持できる。このため、灯籠５が老朽化したり地震が来ても傾いたり倒れたりしにくい。また、安全性に優れ、人への災害、事故を防止できる。さらに、金属製支柱１を用いるので木製の棒杭を用いた倒壊防止構造と比較して見栄えがよい。また、取付が容易であり、灯籠自体を加工する必要がないので、新しい灯籠だけでなく既に設置されている灯籠にもすぐに適用できるとともに、様々な形状の灯籠に適用できる。
【考案を実施するための最良の形態】
【００１０】
以下に、本考案を必要に応じて図面を参照しつつ詳細に説明する。図１は本考案の灯籠の傾き又は倒壊防止構造の一例を示す斜視図である。図２は図１の傾き又は倒壊防止構造における金属製支柱１及び灯籠５の地面上の配置を示す平面図である。この構造では、地面７に設置された灯籠（石灯籠）５の回りに３本の金属製支柱１，１，１が周方向に所定の間隔で且つ突先部が地中に差し込まれた状態（突き刺した状態）で設置されており、該金属製支柱１，１，１は灯籠５の蓋部（頭部）を押圧するように立て掛けられている。また、各金属製支柱１，１，１は地面上に載置された支持部材２に固定されており、前記３本の金属製支柱１，１，１は固定部材６により互いに結合固定されている。金属製支柱１，１，１と灯籠５の蓋部との接点はＡで示されている。なお、灯籠５の形状は特に限定されず種々の形状のものに適用できる。
【００１１】
図３は金属製支柱１の一例を示す斜視図である。金属製支柱１は灯籠５を支えて傾きや倒壊を防止するための主部材である。この例では、金属製支柱１は、先端に地中に差し込むための突先部を有し、且つ複数個の孔３が所定の間隔で設けられている。金属製支柱１の材質は金属であればよく、例えば、アルミニウム、ステンレス、鉄、合金などを用いることができる。金属製支柱１の表面はメッキされていてもよく、防錆塗料等の塗料が塗布されていてもよい。金属製支柱１の形状は、角柱状、円柱状、半円柱状等の何れであってもよいが、灯籠支持性、支持部材２との固定性等の観点からは角柱状であるのが好ましい。金属製支柱１の長さ（Ｌ１＋Ｌ２）は、使い易さ、強度等を考慮して適宜設定できるが、一般には５００〜３０００ｍｍ、好ましくは１０００〜２５００ｍｍ、さらに好ましくは１３００〜２２００ｍｍ程度である。灯籠５の高さにより、複数個（例えば２〜４）の金属製支柱１を長さ方向に継ぎ足して使用してもよい。この場合、金属製支柱１に設けられた孔３にボルト・ナット、ネジ等をはめ込んで固定することにより複数個の金属製支柱を継ぎ足すことができる。なお、複数個の金属製支柱１を継ぎ足して使用する場合、２本目以降の金属製支柱の向きは、突先部が上であっても下であってもどちらでもよく、また、２本目以降の金属製支柱は突先部を有していなくてもよい。金属製支柱１が角柱状である場合、幅Ｌ３は、例えば５〜５０ｍｍ、好ましくは１０〜３０ｍｍ、さらに好ましくは１２〜２０ｍｍ程度であり、厚みＬ４は、例えば２〜２０ｍｍ、好ましくは２．５〜１０ｍｍ、さらに好ましくは３〜３．５ｍｍ程度である。
【００１２】
金属製支柱１の先端に形成された突先部の形状は、地中に差し込み可能な形状であれば特に限定されないが、鋭角を持った矢状である場合が多い。突先部の長さＬ２は、例えば５０〜５００ｍｍ、好ましくは１００〜２５０ｍｍ程度である。金属製支柱１に設けられる孔３の個数は、例えば２〜２５、好ましくは３〜１５、さらに好ましくは５〜１２程度であるがこれに限定されない。孔の間隔は、例えば２０〜３００ｍｍ、好ましくは５０〜２５０ｍｍ、さらに好ましくは１２０〜２２０ｍｍ程度である。孔径は、例えば２〜２０ｍｍφ、好ましくは３〜１０ｍｍφ程度である。孔の間隔は等間隔であっても非等間隔であってもよいが、金属製支柱１の作り易さ、使い易さの点から等間隔であるのが好ましい。金属製支柱１の地中部分の長さは、灯籠支持性や設置作業性等の観点から、例えば１５０〜５００ｍｍ、好ましくは２００〜４００ｍｍ程度である。
【００１３】
代表的な金属製支柱１においては、材質はアルミニウム製、Ｌ１＝１６００ｍｍ、Ｌ２＝１５０ｍｍ、Ｌ３＝１５ｍｍ、Ｌ４＝３〜３．５ｍｍ、孔３の個数＝８個、孔３の孔径＝５ｍｍφである。
【００１４】
金属製支柱１の本数は、灯籠支持性やコストを考慮して適宜選択できるが、一般には２〜８本、好ましくは３〜６本であり、特に３本であるのが好適である。灯籠５の周方向における各金属製支柱１の間隔は、灯籠支持性の点から等間隔であるのが好ましい。
【００１５】
図４は支持部材２の一例を示す図であり、（イ）は斜視図、（ロ）は側面図である。支持部材２は金属製支柱１を支持するとともに、金属製支柱１の地中部の長さを一定に保持する（抜けたり、必要以上に地中に進入しないようにする）ことにより、金属製支柱１の灯籠支持性及び安定性をより増大させて、灯籠の傾き又は倒壊防止効果を補強する機能を有する。この例では、支持部材２は、金属製支柱１の地上部の下部を固定する支柱固定部23と、地面７と面接触する接地部21と、該支柱固定部23と接地部21とを連結する連結部22とからなり、固定部23と連結部22との境界、及び連結部22と接地部21との境界において、同方向に屈曲している。なお、支持部材２は支柱固定部23と接地部21とのみで構成されていてもよい。この場合には屈曲部は１箇所であり、形状は略Ｌ字状となる。
【００１６】
支持部材２の材質は金属製支柱１を支持可能な材質であれば特に限定されないが、好ましくは金属である。金属としては、例えば、アルミニウム、ステンレス、鉄、合金などを用いることができる。支持部材２の表面はメッキされていてもよく、防錆塗料等の塗料が塗布されていてもよい。支持部材２の形状は、角柱状、円柱状、半円柱状等の何れであってもよいが、支持性等の観点からは角柱状であるのが好ましい。支持部材２が角柱状である場合、幅Ｌ８は、例えば５〜５０ｍｍ、好ましくは１０〜３０ｍｍ、さらに好ましくは１２〜２０ｍｍ程度であり、厚みＬ９は、例えば２〜２０ｍｍ、好ましくは２．５〜１０ｍｍ、さらに好ましくは３〜３．５ｍｍ程度である。
【００１７】
支柱固定部23には３つの孔４，４，４が設けられている。この孔４は金属製支柱１の孔３と重ね合わせ、ボルト・ナット、ネジ等をはめ込んで該金属製支柱１を固定するために用いられる。孔４の数は３に限らず、例えば１〜１０程度の範囲から選択できる。孔径及び孔の間隔は金属製支柱１に設けられた孔３と同様である。固定部23の長さＬ７は、金属製支柱１との固定性の点から、例えば５０〜５００ｍｍ、好ましくは１００〜３００ｍｍ、さらに好ましくは１２０〜２００ｍｍ程度である。
【００１８】
接地部21の長さは、灯籠５の安定性や保持性等を考慮して適宜設計できるが、一般には５０〜５００ｍｍ、好ましくは１００〜３００ｍｍ、さらに好ましくは１２０〜２００ｍｍ程度である。接地部21の下面を地面に当接させて支持部材２を地面に載置したときの該支持部材２の高さ（Ｌ６＋Ｌ７）は、例えば１００〜７００ｍｍ、好ましくは２００〜５００ｍｍ、さらに好ましくは３００〜４００ｍｍ程度である。金属製支柱１が角柱状である場合、幅Ｌ８は、例えば５〜５０ｍｍ、好ましくは１０〜３０ｍｍ、さらに好ましくは１２〜２０ｍｍ程度であり、厚みＬ９は、例えば２〜２０ｍｍ、好ましくは２．５〜１０ｍｍ、さらに好ましくは３〜３．５ｍｍ程度である。
【００１９】
代表的な支持部材２においては、材質はアルミニウム製、Ｌ５＝１５０ｍｍ、Ｌ６＝２００ｍｍ、Ｌ７＝１５０ｍｍ、Ｌ８＝１５ｍｍ、Ｌ９＝３〜３．５ｍｍ、孔４の個数＝３個、孔４の孔径＝５ｍｍφである。
【００２０】
支持部材２の本数は金属製支柱１の本数と同じである。
【００２１】
支持部材２を上記のように地面に載置したときの連結部22の長さ方向と地面（接地部21の下面）との角度θ１は、特に限定されないが、通常３０°〜８０°、好ましくは４０°〜７５°程度である。また、支持部材２を上記のように地面に載置したときの支柱固定部23の長さ方向と地面（接地部21の下面）との角度θ２は、安定性や支持性の観点から、通常６０°〜９０°、好ましくは７０°〜９０°程度である。
【００２２】
前記固定部材６は、複数本の金属製支柱１を互いに結合固定することにより、金属製支柱１の灯籠支持性及び安定性をより増大させるための補助部材である。固定部材６は、複数の金属製支柱１を互いに結合固定する機能を有するものであれば特に限定されず、細線状（針金状）、紐状、棒状（角柱状、円柱状等）などの何れの形状であってもよく、また、材質も、金属製、合成繊維製、プラスチック製、木製等の何れであってもよいが、強度及び取扱性等の点から、金属製の細線（針金）であるのが好ましい。金属製支柱１における固定部材６による固定箇所は２箇所以上であってもよいが、通常１箇所で十分であることが多い。該固定部材６による固定部位は、灯籠の傾き又は倒壊防止性の点から、灯籠５との接点Ａよりも下方で、且つ支持部材２の支柱固定部23による固定部位よりも上方であるのが好ましい。固定部材６による固定は金属製支柱１に設けられている孔３を利用できる。すなわち、固定部材６が細線状や紐状である場合には該固定部材６を孔３に通すことにより各金属製支柱１を結合固定でき、また固定部材６が棒状である場合には該固定部材６を隣接する金属製支柱１，１間に掛け渡し、細線やひもを前記孔３に通して前記固定部材６と金属製支柱１とを絡げて固定することができる。固定部材６（針金等）を金属製支柱１の孔３に通すことにより、該固定部材６のずれを防止できる。
【００２３】
上記考案によれば、灯籠５の周囲に所定の間隔をおいて複数本の金属製支柱１を配し、その下方先端部を地中に差し込み、上部で灯籠５に接するように該灯籠５に立て掛けることにより灯籠５を支持するとともに、各金属製支柱１の地上部の下部を地面上に載置された支持部材２で固定し、さらに各金属製支柱１同士を固定部材６により互いに結合固定するので、灯籠５を確実且つ堅固に支持できる。このため、灯籠５が老朽化したり地震におそわれても、傾いたり倒れたりしにくい。特に、金属製支柱１が長尺状であり柔軟性を有していることから、地震の揺れにも対応できるので地震対策に好適である。また灯籠５が倒れにくいので、安全性に優れ、人への災害や事故も防止できる。さらに、金属製支柱１を用いるので木製の棒杭を用いた場合と比較して見栄えがよい。さらにまた、取付が容易であるとともに、灯籠５自体を加工する必要がないので、新しい灯籠だけでなく既に設置されている灯籠にもすぐに適用できるとともに、様々な形状の灯籠に適用でき、適用範囲が広い。
【図面の簡単な説明】
【００２４】
【図１】本考案の灯籠の傾き又は倒壊防止構造の一例を示す斜視図である。
【図２】図１の傾き又は倒壊防止構造における金属製支柱１及び灯籠５の地面上の配置を示す平面図である。
【図３】金属製支柱１の一例を示す斜視図である。
【図４】支持部材２の一例を示す図であり、（イ）は斜視図、（ロ）は側面図である。
【符号の説明】
【００２５】
１  金属製支柱
２  支持部材
３  孔
４  孔
５  灯籠
６  固定部材
７  地面
【図１】
0003101641.tif 000003
【図２】
0003101641.tif 000004
【図３】
0003101641.tif 000005
【図４】
0003101641.tif 000006